(57)【要約】【課題】本発明は、映像音声記録再生システム及び映像音声記録再生方法を提供する。【解決手段】本発明に係る映像音声記録再生システムは、コンピューター、表示装置、マイク、カメラ、ネット及びスピーカーに接続し、且つビデオスプリッターと、ビデオスイッチと、ビデオコンバーターと、ビデオデコーダと、ＡＶ圧縮手段と、オーディオデコーダと、処理器と、メモリと、ＡＶ復元手段と、オーディオエンコーダと、ビデオエンコーダと、を備える。また、本発明は、映像音声記録再生方法にも関する。【選択図】図１
2011061786.tif 000002
【特許請求の範囲】
【請求項１】
コンピューター、表示装置、マイク、カメラ、ネット及びスピーカーに接続し、且つビデオスプリッターと、ビデオスイッチと、ビデオコンバーターと、ビデオデコーダと、ＡＶ圧縮手段と、オーディオデコーダと、処理器と、メモリと、ＡＶ復元手段と、オーディオエンコーダと、ビデオエンコーダと、を備えてなる映像音声記録再生システムであって、
映像音声を記録するため、
前記ビデオスプリッターは、前記コンピューターから出力した原始ビデオ信号を前記ビデオスイッチ及び前記ビデオコンバーターに向けて分配し、前記ビデオスイッチに分配された原始ビデオ信号は表示装置に伝送され、
前記ビデオコンバーターは、前記原始ビデオ信号を前記ビデオデコーダが処理できるアナログビデオ信号に変換してから前記ビデオデコーダに送信し、
前記ビデオデコーダは、前記アナログビデオ信号をデジタルビデオ信号に変換してから前記ＡＶ圧縮手段に送信し、
前記オーディオデコーダは、前記マイクによって収集されたアナログ音声信号を受信し、前記アナログ音声信号をデジタル音声信号に変換してから前記ＡＶ圧縮手段に送信し、
前記ＡＶ圧縮手段は、前記デジタル音声信号及び前記デジタルビデオ信号をＡＶ圧縮ファイルに圧縮してから前記処理器に送信し、
前記処理器は、前記ＡＶ圧縮手段から出力したＡＶ圧縮ファイルを前記メモリに記憶し、
映像音声を再生するため、
前記処理器は、再生しようとするＡＶ圧縮ファイルを読み出してから前記ＡＶ復元手段に送信し、
前記ＡＶ復元手段は、再生しようとする前記ＡＶ圧縮ファイルを元に戻しデジタル映像信号及びデジタル音声信号を生成し、且つ復元された前記デジタル音声信号を前記オーディオエンコーダに送信し、復元された前記デジタル映像信号を前記ビデオエンコーダに送信し、
前記オーディオエンコーダは、復元された前記デジタル音声信号をアナログ音声信号に変換し、且つ前記アナログ音声信号を前記スピーカーに送信して再生し、
前記ビデオエンコーダは、復元された前記デジタル映像信号を前記原始ビデオ信号に変換してから前記ビデオスイッチによって前記表示装置に送信して再生することを特徴とする映像音声記録再生システム。
【請求項２】
前記ＡＶ圧縮手段は、映像音声を記録するため、前記ビデオカメラによって収集された映像を受信でき、且つ前記ビデオカメラによって収集された映像を前記オーディオデコーダから出力したデジタル音声信号及び前記ビデオデコーダから出力したデジタル映像信号と一緒にＡＶ圧縮ファイルに圧縮することを特徴とする請求項１に記載の映像音声記録再生システム。
【請求項３】
前記処理器は、映像音声を記録するため、前記ネットワークによって前記ＡＶ圧縮手段から出力したＡＶ圧縮ファイル又は前記メモリに記憶されているＡＶ圧縮ファイルをリモートデバイスに送信することを特徴とする請求項１に記載の映像音声記録再生システム。
【請求項４】
前記処理器は、前記ネットワークによって前記リモートデバイスから再生しようとするＡＶ圧縮ファイルを受信するか、又は前記メモリから再生しようとするＡＶ圧縮ファイルを読み出し、且つ再生しようとする前記ＡＶ圧縮ファイルを前記ＡＶ復元手段に送信することを特徴とする請求項１に記載の映像音声記録再生システム。
【請求項５】
映像音声を記録するため、
ビデオスプリッターによってコンピューターから出力した原始ビデオ信号をビデオスイッチ及びビデオコンバーターに向けて分配し、前記ビデオスイッチに分配された原始ビデオ信号は表示装置に伝送されるステップと、
前記ビデオコンバーターによって前記原始ビデオ信号をビデオデコーダが処理できるアナログビデオ信号に変換してから前記ビデオデコーダに送信するステップと、
前記ビデオデコーダによってアナログビデオ信号をデジタルビデオ信号に変換してからＡＶ圧縮手段に送信するステップと、
オーディオデコーダによってマイクによって収集されたアナログ音声信号を受信し、前記アナログ音声信号をデジタル音声信号に変換してから前記ＡＶ圧縮手段に送信するステップと、
前記ＡＶ圧縮手段によってデジタル音声信号及びデジタルビデオ信号をＡＶ圧縮ファイルに圧縮し、且つ前記ＡＶ圧縮ファイルを処理器に送信するステップと、
前記処理器によって前記ＡＶ圧縮ファイルをメモリに記憶するステップと、
を備え、
映像音声を再生するため、
前記処理器によって再生しようとするＡＶ圧縮ファイルを読み出してからＡＶ復元手段に送信するステップと、
前記ＡＶ復元手段によって再生しようとする前記ＡＶ圧縮ファイルを元に戻しデジタル映像信号及びデジタル音声信号を生成し、且つ復元された前記デジタル音声信号をオーディオエンコーダに送信し、復元された前記デジタル映像信号をビデオエンコーダに送信するステップと、
前記オーディオエンコーダによって復元された前記デジタル音声信号をアナログ音声信号に変換し、且つ前記アナログ音声信号をスピーカーに送信して再生するとともに、前記ビデオエンコーダは復元された前記デジタル映像信号を前記原始ビデオ信号に変換してから前記ビデオスイッチによって前記表示装置に送信して再生するステップと、
を備えることを特徴とする映像音声記録再生システムの映像音声記録再生方法。
【発明の詳細な説明】
【技術分野】
【０００１】
本発明は、マルチメディアシステム及び方法に関し、特に映像音声記録再生システム及び映像音声記録再生方法に関する。
【背景技術】
【０００２】
会議を行うか又は授業する時、常に映像音声情報をコンピューターによってディスプレイに出力するか又はプロジェクターによって表示する。重要な会議又は課程であると、現場の映像音声を記録して、随時随所で学習するか又はネットワークによって遠隔授業することができる。
【０００３】
従来の映像音声記録方法は、以下の２種を含む。第一に、ソフトウェアを使用してパワーポイントスライドを作成する。このような方法は、コンピューターから出力した映像の全ては記録することができないので不便である。第二に、ビデオカメラで現場の映像音声を記録する。しかし、大量の図表情報を表示する必要がある場合、ビデオカメラによって撮影された画像（特に、コンピューターから出力した映像を撮影した画像）があまりはっきりしない。
【０００４】
また、映像音声を記録するばかりでなく、常に映像音声を再生する必要がある。もし映像音声をはっきり記録するとともに便利に再生できると、使用者にとって便利である。
【発明の概要】
【発明が解決しようとする課題】
【０００５】
本発明の第一の目的は、前記問題を解決するために、はっきり記録するとともに便利に再生できる映像音声記録再生システムを提供することである。
【０００６】
本発明の第二の目的は、前記問題を解決するために、はっきり記録するとともに便利に再生できる映像音声記録再生方法を提供することである。
【課題を解決するための手段】
【０００７】
前記第一目的を達成するため、本発明に係る映像音声記録再生システムは、コンピューター、表示装置、マイク、カメラ、ネット及びスピーカーに接続し、且つビデオスプリッターと、ビデオスイッチと、ビデオコンバーターと、ビデオデコーダと、ＡＶ圧縮手段と、オーディオデコーダと、処理器と、メモリと、ＡＶ復元手段と、オーディオエンコーダと、ビデオエンコーダと、を備えてなる映像音声記録再生システムであって、映像音声を記録するため、前記ビデオスプリッターは、前記コンピューターから出力した原始ビデオ信号を前記ビデオスイッチ及び前記ビデオコンバーターに向けて分配し、前記ビデオスイッチに分配された原始ビデオ信号は表示装置に伝送される。前記ビデオコンバーターは、前記原始ビデオ信号を前記ビデオデコーダが処理できるアナログビデオ信号に変換してから前記ビデオデコーダに送信する。前記ビデオデコーダは、前記アナログビデオ信号をデジタルビデオ信号に変換してから前記ＡＶ圧縮手段に送信する。前記オーディオデコーダは、前記マイクによって収集されたアナログ音声信号を受信し、前記アナログ音声信号をデジタル音声信号に変換してから前記ＡＶ圧縮手段に送信する。前記ＡＶ圧縮手段は、前記デジタル音声信号及び前記デジタルビデオ信号をＡＶ圧縮ファイルに圧縮してから前記処理器に送信する。前記処理器は、前記ＡＶ圧縮手段から出力したＡＶ圧縮ファイルを前記メモリに記憶する。映像音声を再生するため、前記処理器は、再生しようとするＡＶ圧縮ファイルを読み出してから前記ＡＶ復元手段に送信する。前記ＡＶ復元手段は、再生しようとする前記ＡＶ圧縮ファイルを元に戻しデジタル映像信号及びデジタル音声信号を生成し、且つ復元された前記デジタル音声信号を前記オーディオエンコーダに送信し、復元された前記デジタル映像信号を前記ビデオエンコーダに送信する。前記オーディオエンコーダは、復元された前記デジタル音声信号をアナログ音声信号に変換し、且つ前記アナログ音声信号を前記スピーカーに送信して再生する。前記ビデオエンコーダは、復元された前記デジタル映像信号を前記原始ビデオ信号に変換してから前記ビデオスイッチによって前記表示装置に送信して再生することを特徴とする映像音声記録再生システム。
【０００８】
前記第二目的を達成するため、本発明に係る映像音声記録再生方法は、映像音声を記録するため、ビデオスプリッターによってコンピューターから出力した原始ビデオ信号をビデオスイッチ及びビデオコンバーターに向けて分配し、前記ビデオスイッチに分配された原始ビデオ信号は表示装置に伝送されるステップと、前記ビデオコンバーターによって前記原始ビデオ信号をビデオデコーダが処理できるアナログビデオ信号に変換してから前記ビデオデコーダに送信するステップと、前記ビデオデコーダによってアナログビデオ信号をデジタルビデオ信号に変換してからＡＶ圧縮手段に送信するステップと、オーディオデコーダによってマイクによって収集されたアナログ音声信号を受信し、前記アナログ音声信号をデジタル音声信号に変換してから前記ＡＶ圧縮手段に送信するステップと、前記ＡＶ圧縮手段によってデジタル音声信号及びデジタルビデオ信号をＡＶ圧縮ファイルに圧縮してから処理器に送信するステップと、前記処理器によって前記ＡＶ圧縮ファイルをメモリに記憶するステップと、を備える。映像音声を再生するため、前記処理器によって再生しようとするＡＶ圧縮ファイルを読み出してからＡＶ復元手段に送信するステップと、前記ＡＶ復元手段によって再生しようとする前記ＡＶ圧縮ファイルを元に戻しデジタル映像信号及びデジタル音声信号を生成し、且つ復元された前記デジタル音声信号をオーディオエンコーダに送信し、復元された前記デジタル映像信号をビデオエンコーダに送信するステップと、前記オーディオエンコーダによって復元された前記デジタル音声信号をアナログ音声信号に変換し、且つ前記アナログ音声信号をスピーカーに送信して再生するとともに、前記ビデオエンコーダは復元された前記デジタル映像信号を前記原始ビデオ信号に変換してから前記ビデオスイッチによって前記表示装置に送信して再生するステップと、を備える。
【発明の効果】
【０００９】
従来の技術に比べて、本発明に係る映像音声記録再生システム及び映像音声記録再生方法は、コンピューターから出力した映像及び現場の音声を記録することができる。コンピューターから出力した映像に対して特別な要求がないので映像音声を便利に再生して広く応用することができる。
【図面の簡単な説明】
【００１０】
【図１】本発明の実施形態に係る映像音声記録再生システムのブロック図である。
【図２】本発明の実施形態に係る映像音声記録再生方法を示すフローチャートである。
【発明を実施するための形態】
【００１１】
以下、図面に基づいて、本発明に係る映像音声記録再生システム及び映像音声記録再生方法について詳細に説明する。
【００１２】
図１を参照すると、映像音声記録再生システム１０は、コンピューター１１、表示装置１２、マイク１３、ビデオカメラ１４、ネットワーク１５及びスピーカー１６に接続する。前記表示装置１２は、モニター及びプロジェクターを備える。前記映像音声記録再生システム１０は、ビデオスプリッター１００と、ビデオスイッチ１０２と、ビデオコンバーター１０４と、ビデオデコーダ１０６と、ＡＶ圧縮手段１０８と、オーディオデコーダ１１０と、処理器１１２と、メモリ１１４と、ＡＶ復元手段１１６と、オーディオエンコーダ１１８と、ビデオエンコーダ１２０と、を備える。
【００１３】
前記ビデオスプリッター１００は、前記コンピューター１１から出力した原始ビデオ信号を前記ビデオスイッチ１０２及び前記ビデオコンバーター１０４に向けて分配する。前記ビデオスイッチ１０２に分配された原始ビデオ信号は表示装置１２に伝送される。本実施形態において、前記原始ビデオ信号は、ビデオ・グラフィックス・アレイ（ｖｉｄｅｏ  ｇｒａｐｈｉｃｓ  ａｒｒａｙ、ＶＧＡ）信号であるが、もちろんデジタル・ビデオ・インターフェース（ｄｉｇｉｔａｌ  ｖｉｓｕａｌ  ｉｎｔｅｒｆａｃｅ、ＤＶＩ）信号又は高解像度マルチメディアインタフェース（Ｈｉ−Ｄｅｆｉｎｉｔｉｏｎ  Ｍｕｌｔｉｍｅｄｉａ  Ｉｎｔｅｒｆａｃｅ、ＨＤＭＩ）信号のような他の形式のビデオ信号であることもできる。
【００１４】
前記ビデオコンバーター１０４は、前記原始ビデオ信号をビデオデコーダ１０６が処理できるアナログビデオ信号に変換してから前記ビデオデコーダ１０６に送信する。本実施形態において、前記ビデオコンバーター１０４は、受信した原始ビデオ信号（例えば、ＶＧＡ信号である）をコンポジットビデオ信号に変換する。前記ビデオコンバーター１０４は、原始ビデオ信号をセパレートビデオ（ｓｅｐａｒａｔｅ  ｖｉｄｅｏ、Ｓ−Ｖｉｄｅｏ）信号のような他のフォーマットのアナログビデオ信号に変換することもできる。
【００１５】
前記コンピューター１１から出力したビデオ信号が前記ビデオデコーダ１０６が処理できるビデオ信号である場合、前記ビデオコンバーター１０４を省略することができる。
【００１６】
前記ビデオデコーダ１０６は、前記アナログビデオ信号をデジタルビデオ信号に変換してから前記ＡＶ圧縮手段１０８に送信する。本実施形態において、前記ビデオデコーダ１０６は、前記アナログビデオ信号を８ビットのデジタルビデオ信号に変換する。前記ビデオデコーダ１０６は、前記アナログビデオ信号を他のフォーマットのデジタルビデオ信号に変換することができ、例えば、１０ビット、１６ビット又は２０ビットのデジタルビデオ信号である。
【００１７】
前記オーディオデコーダ１１０は、前記マイク１３によって収集されたアナログ音声信号を受信し、前記アナログ音声信号をデジタル音声信号に変換してから前記ＡＶ圧縮手段１０８に送信する。前記マイク１３は、現場の音声を記録するために用いられる。
【００１８】
前記ＡＶ圧縮手段１０８は、圧縮アルゴリズムによってデジタル音声信号及びデジタルビデオ信号をＡＶ圧縮ファイルに圧縮し、且つ前記ＡＶ圧縮ファイルを前記処理器１１２に送信する。本実施形態において、前記ＡＶ圧縮手段１０８は、ＭＰＥＧ１、ＭＰＥＧ２及びＭＰＥＧ４のような動画像符号化専門家グループ（Ｍｏｖｉｎｇ  Ｐｉｃｔｕｒｅ  Ｅｘｐｅｒｔｓ  Ｇｒｏｕｐ，ＭＰＥＧ）圧縮方式を採用する。本実施形態において、前記ＡＶ圧縮手段１０８は、前記ビデオカメラ１４によって収集された映像を受信でき、且つ前記ビデオカメラ１４によって収集された映像を前記オーディオデコーダ１１０から出力したデジタル音声信号及び前記ビデオデコーダ１０６から出力したデジタル映像信号と一緒にＡＶ圧縮ファイルに圧縮する。前記ビデオカメラ１４は、前記処理器１１２によって受信した映像を前記ＡＶ圧縮手段１０８に送信する。
【００１９】
映像音声を記録するため、前記処理器１１２は、前記ＡＶ圧縮手段１０８から出力したＡＶ圧縮ファイルを前記メモリ１１４に記憶し、前記ネットワーク１５によって前記ＡＶ圧縮手段１０８から出力したＡＶ圧縮ファイル又は前記メモリ１１４に記憶されているＡＶ圧縮ファイルをリモートコンピューターのようなリモートデバイスに送信する。
【００２０】
映像音声を再生するため、前記処理器１１２は、ネットワーク１５によって前記リモートデバイスから再生しようとするＡＶ圧縮ファイルを受信するか、又は前記メモリ１１４から再生しようとするＡＶ圧縮ファイルを読み出してから前記ＡＶ復元手段１１６に送信する。
【００２１】
前記ＡＶ復元手段１１６は、復元アルゴリズムによって再生しようとするＡＶ圧縮ファイルを元に戻しデジタル映像信号及びデジタル音声信号を生成し、且つ復元されたデジタル音声信号を前記オーディオエンコーダ１１８に送信し、復元されたデジタル映像信号を前記ビデオエンコーダ１２０に送信する。
【００２２】
前記オーディオエンコーダ１１８は、復元されたデジタル音声信号をアナログ音声信号に変換し、且つ前記アナログ音声信号を前記スピーカー１６に送信して再生する。
【００２３】
前記ビデオエンコーダ１２０は、復元されたデジタル映像信号を原始ビデオ信号に変換してから前記ビデオスイッチ１０２によって前記表示装置１２に送信して再生する。
【００２４】
図２は、映像音声記録再生方法を示すフローチャートである。映像音声記録再生方法は、以下のステップを備える。
【００２５】
ステップＳ２００：映像音声を記録することを必要とするか又は映像音声を再生することを必要とするかを判断する。映像音声を記録する場合、ステップＳ２０１〜Ｓ２０６を行う。映像音声を再生する場合、ステップＳ２０７〜Ｓ２０９を行う。
【００２６】
ステップＳ２０１：前記ビデオスプリッター１００によって前記コンピューター１１から出力した原始ビデオ信号を複数の信号に分配する。具体的に説明すると、前記ビデオスプリッター１００は、前記コンピューター１１から出力した原始ビデオ信号を前記ビデオスイッチ１０２及び前記ビデオコンバーター１０４に向けて分配する。前記ビデオスイッチ１０２に分配された原始ビデオ信号は表示装置１２に伝送される。本実施形態において、前記原始ビデオ信号は、ビデオ・グラフィックス・アレイ（ｖｉｄｅｏ  ｇｒａｐｈｉｃｓ  ａｒｒａｙ、ＶＧＡ）信号、デジタル・ビジュアル・インターフェース（ｄｉｇｉｔａｌ  ｖｉｓｕａｌ  ｉｎｔｅｒｆａｃｅ、ＤＶＩ）信号又は高解像度マルチメディアインタフェース（Ｈｉ−Ｄｅｆｉｎｉｔｉｏｎ  Ｍｕｌｔｉｍｅｄｉａ  Ｉｎｔｅｒｆａｃｅ、ＨＤＭＩ）信号である。
【００２７】
ステップＳ２０２：前記ビデオコンバーター１０４によって前記原始ビデオ信号を前記ビデオデコーダ１０６が処理できるアナログビデオ信号に変換してから前記ビデオデコーダ１０６に送信する。本実施形態において、前記ビデオコンバーター１０４は受信した原始ビデオ信号をコンポジットビデオ信号に変換するか、又は受信した原始ビデオ信号をセパレートビデオ（ｓｅｐａｒａｔｅ  ｖｉｄｅｏ、Ｓ−Ｖｉｄｅｏ）信号のような他のフォーマットのアナログビデオ信号に変換する。
【００２８】
ステップＳ２０３：前記ビデオデコーダ１０６によってアナログビデオ信号をデジタルビデオ信号に変換してから前記ＡＶ圧縮手段１０８に送信する。本実施形態において、前記ビデオデコーダ１０６は、アナログビデオ信号を８ビットのデジタルビデオ信号に変換する。前記ビデオデコーダ１０６は、アナログビデオ信号を他のフォーマットのデジタルビデオ信号に変換することもでき、例えば、１０ビット、１６ビット又は２０ビットのデジタルビデオ信号である。
【００２９】
ステップＳ２０４：前記オーディオデコーダ１１０によってマイク１３によって収集されたアナログ音声信号を受信し、前記アナログ音声信号をデジタル音声信号に変換してから前記ＡＶ圧縮手段１０８に送信する。前記マイク１３は、現場の音声を記録するために用いられる。
【００３０】
ステップＳ２０５：前記ＡＶ圧縮手段１０８によって圧縮アルゴリズムによってデジタル音声信号及びデジタルビデオ信号をＡＶ圧縮ファイルに圧縮してから前記処理器１１２に送信する。本実施形態において、動画像符号化専門家グループ（ｍｏｖｉｎｇ  ｐｉｃｔｕｒｅ  Ｅｘｐｅｒｔｓ  ｇｒｏｕｐ、ＭＰＥＧ）圧縮アルゴリズム（例えば、ＭＰＥＧ−１、ＭＰＥＧ−２及びＭＰＥＧ−４である）を使用する。本実施形態において、前記ＡＶ圧縮手段１０８は、前記ビデオカメラ１４によって収集された映像を受信することもでき、前記ビデオカメラ１４によって収集された映像を前記オーディオデコーダ１１０から出力したデジタル音声信号及び前記ビデオデコーダ１０６から出力したデジタル映像信号と一緒にＡＶ圧縮ファイルに圧縮する。前記ビデオカメラ１４は、前記処理器１１２によって受信した映像を前記ＡＶ圧縮手段１０８に送信する。
【００３１】
ステップＳ２０６：前記処理器１１２によって前記ＡＶ圧縮ファイルを前記メモリ１１４に記憶する。又、前記処理器１１２は、前記ネットワーク１５によって前記ＡＶ圧縮手段１０８から出力したＡＶ圧縮ファイル又はメモリ１１４に記憶されているＡＶ圧縮ファイルをリモートコンピューターのようなリモートデバイスに送信することもできる。
【００３２】
ステップＳ２０７：前記処理器１１２は、前記メモリ１１４から再生しようとするＡＶ圧縮ファイルを読み出してからＡＶ復元手段１１６に送信する。他の実施形態において、前記処理器１１２は、前記ネットワーク１５によってリモートデバイスから再生しようとするＡＶ圧縮ファイルを受信する。
【００３３】
ステップＳ２０８：前記ＡＶ復元手段１１６は、復元アルゴリズムによって再生しようとするＡＶ圧縮ファイルを元に戻しデジタル映像信号及びデジタル音声信号を生成し、且つ復元されたデジタル音声信号を前記オーディオエンコーダ１１８に送信し、復元されたデジタル映像信号を前記ビデオエンコーダ１２０に送信する。
【００３４】
ステップＳ２０９：前記オーディオエンコーダ１１８は、復元されたデジタル音声信号をアナログ音声信号に変換し、且つ前記アナログ音声信号を前記スピーカー１６に送信して再生するとともに、前記ビデオエンコーダ１２０は、復元されたデジタル映像信号を原始ビデオ信号に変換してから前記ビデオスイッチ１０２によって前記表示装置１２に送信して再生する。
【００３５】
本発明に係る映像音声記録再生システム及び映像音声記録再生方法は、コンピューターから出力した映像及び現場の音声を記録することができる。コンピューターから出力した映像に対して特別な要求がないので映像音声を便利に再生して広く応用することができる。
【００３６】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００３７】
１０・・・映像音声記録再生システム
１１・・・コンピューター
１２・・・表示装置
１３・・・マイク
１４・・・ビデオカメラ
１５・・・ネットワーク
１６・・・スピーカー
１００・・・ビデオスプリッター
１０２・・・ビデオスイッチ
１０４・・・ビデオコンバーター
１０６・・・ビデオデコーダ
１０８・・・ＡＶ圧縮手段
１１０・・・オーディオデコーダ
１１２・・・処理器
１１４・・・メモリ
１１６・・・ＡＶ復元手段
１１８・・・オーディオエンコーダ
１２０・・・ビデオエンコーダ
【図１】
2011061786.tif 000003
【図２】
2011061786.tif 000004